(57)【要約】【課題】  円盤状ディスクの保護ケースであって、ケースのリッド表面がボトム基部端辺に当接することによるケースの損傷を防止する、使用性、剛性、生産性の高いディスク保護ケースを提供する。【解決手段】  ヒンジによって開閉自在に連結されたボトムとリッドからなるケースのボトムの中央に挿通係止部を設けるとともに、カード状内装ジャケットおよび／または内装ブックを保持する係止片をリッドに設けたディスク保護ケースであって、リッド基部のヒンジ端辺を後壁の立設された断面略Ｌ形状とするとともに、ボトム基部の切り込みに面した両端部にストッパを設けた構成である。【選択図】  図１
2013119425.tif 000002
【特許請求の範囲】
【請求項１】
ヒンジによって開閉自在に連結されたボトムとリッドからなるケースのボトムの中央にディスクを保持する略円筒形の挿通係止部であるセンターホールを設けるとともに、開口された端辺から挿入されるカード状内装ジャケットおよび／または内装ブックを基部内面に保持する係止片をリッドに設けたディスク保護ケースにおいて、
ボトムおよびリッドの閉鎖状態で、リッド基部のヒンジ端辺をボトム基部のヒンジ端辺内面に整列・係合可能とするために、リッド基部のヒンジ端辺を後壁の立設された断面略Ｌ形状とするとともに、
ボトムおよびリッドの開口状態で、過回転を防止して回転したリッド表面がボトム基部端辺に当接して損傷しないように、ボトム基部の切り込みに面した両端部にリッド基部の左端部および右端部と当接する突起状のストッパを設けたことを特徴とするディスク保護ケース。
【請求項２】
前記ボトムは、ディスクを保持可能とする略円筒形の挿通係止部であるセンターホールの基部近傍に、ディスクとボトム間の間隙を確保するための平面状または曲面状の座面を設けたことを特徴とする請求項１記載のディスク保護ケース。
【請求項３】
前記リッドは、中央にディスクを保持可能とする略円筒形の挿通係止部であるセンターホールを設けたことを特徴とする請求項１または請求項２記載のディスク保護ケース。
【請求項４】
前記挿通係止部は、複数のディスクを積層係止可能とするために充分な高さの係止部からなり、ディスク間の間隙を確保可能とするために係止部側面に突起状の係止部材を環装したことを特徴とする請求項１乃至請求項３記載のディスク保護ケース。
【発明の詳細な説明】
【技術分野】
【０００１】
本発明は、ＣＤ−ＲＯＭやＤＶＤ−ＲＯＭ等の円盤状ディスクの保護ケースに関し、特に、ケースのリッド表面がボトム基部端辺に当接することによって生じるケース表面の損傷の発生を、突起からなる当接ストッパで回転を制御して防止する、使用性、剛性、生産性の高いディスク保護ケースに関する。
【背景技術】
【０００２】
従来より、ＣＤ−ＲＯＭやＤＶＤ−ＲＯＭ等の円盤状からなる情報記録ディスクを保管、携帯、運搬等するにあたり、それらを収納保管する様々な型式のディスクケースが開発されている。例えば、厚紙で挟む形状の保護袋であったり、ビニール製であってディスク記憶面を保護するシートが付加された保護袋であったり、プラスチック製の箱体であったり、その形状には様々なものがある。ＣＤ−ＲＯＭやＤＶＤ−ＲＯＭ等は、傷や汚れに弱く、少しの衝撃でも記録面が損傷してしまい、記録不能となるため、その保護ケースには硬くて軽い素材を用いることが望ましい。そこで、プラスチック等の素材によるディスク保護ケースが現在では広く用いられている。
【０００３】
従来のディスク保護ケースとしては、例えば特開２００１−２４７１８４号に開示されている技術が存在する。この発明では、ＣＤを収納するボトム（着座部）と、開閉自在にヒンジ接続されるリッド（蓋部）とからなる折り畳み式のＣＤケースであって、リッドの基端辺と先端辺との間の両側辺の内面に起立壁が形成され、リッドの内面に対して直交方向からタイトル表示シートを挟み込む間隔が作られていて、シートを保持させる係止爪が突設形成された構造が開示されており、簡易な工程でコスト安に薄型のＣＤケースを製作する技術が開示されている。
【０００４】
しかし、上記発明では、折り畳みに際してボトムとリッドが接触する事を回避するためにヒンジがやや長めに形成されている構造となっているため、ヒンジの強度によっては、床への落下等によりヒンジが破損するという問題があった。また、この構造では、折り畳み構造の都合上、リッドを閉じた状態でボトム基部に回転を許容するための切欠き空間が必要となるため、リッドの開口動作時に指を挟む虞があり、安全であり使用性に優れているとはいえなかった。
【０００５】
本発明の出願人は、実用新案登録第３０６２４０２号に開示されているディスク保護ケース構造に関する考案の出願人であり、他にもこの種のディスク保護ケース構造の研究開発に従事している。上記考案では、前述の特開２００１−２４７１８４号が含んでいた問題点をすべて解消しており、強度があって使用性が高く、コストを抑えた生産性にも優れたディスク保護ケースに関する技術を開発し、提供している。
【０００６】
ディスク保護ケースは、ＣＤ−ＲＯＭやＤＶＤ−ＲＯＭ等のディスクを損傷から保護するためのものであるが、市販される音楽ＣＤや映画等のＤＶＤなどでは、その他に装飾性が求められるのが現状である。例えば、ディスク保護ケースの原料に着色して形成したり、ラメ等を混合して形成することで、装飾性豊かな商品として販売促進を行うことが多く行われている。このように装飾性が重視されている市場の現状では、ディスク保護ケースの蓋部表面に傷が付く従来のケースの技術上の欠点は極力避けることが望まれていた。
ところが、実用新案登録第３０６２４０２号に開示されたディスク保護ケースは、ボトム端部にリッドが当接する構造であるため、開閉を繰り返すとリッド表面に傷が付いていくという構造上の問題点があった。
【０００７】
そこで、構造が複雑になり過ぎず低コストで生産可能あって、且つ、表面に傷がつかない構造を有する、使用性、剛性の高いディスク保護ケースの開発が望まれていた。
【特許文献１】特開２００１−２４７１８４号公報
【特許文献２】実用新案登録第３０６２４０２号公報
【発明の開示】
【発明が解決しようとする課題】
【０００８】
本発明は上記問題を解決するために、ＣＤ−ＲＯＭやＤＶＤ−ＲＯＭ等の円盤状ディスクの保護ケースであって、ケースのリッド表面がボトム基部端辺に回転当接することをストッパで制御してケースの損傷を防止する、使用性、剛性、生産性の高いディスク保護ケースを提供することを目的とする。
【課題を解決するための手段】
【０００９】
上記の目的を達成するために本発明にかかるディスク保護ケースは、ヒンジによって開閉自在に連結されたボトムとリッドからなるケースのボトムの中央にディスクを保持する略円筒形の挿通係止部であるセンターホールを設けるとともに、開口された端辺から挿入されるカード状内装ジャケットおよび／または内装ブックを基部内面に保持する係止片をリッドに設けたディスク保護ケースであって、ボトムおよびリッドの閉鎖状態で、リッド基部のヒンジ端辺をボトム基部のヒンジ端辺内面に整列・係合可能とするために、リッド基部のヒンジ端辺を後壁の立設された断面略Ｌ形状とするとともに、ボトムおよびリッドの開口状態で、過回転を防止して回転したリッド表面がボトム基部端辺に当接して損傷しないように、ボトム基部の切り込みに面した両端にリッド基部の左端部および右端部と当接する突起状のストッパを設けた構成である。
【００１０】
また、ボトムは、ディスクを保持可能とする略円筒形の挿通係止部であるセンターホールの基部近傍に、ディスクとボトム間の間隙を確保するための平面状または曲面状の座面を設けた構成である。
また、リッドは、中央にディスクを保持可能とする略円筒形の挿通係止部であるセンターホールを設けた構成である。
【００１１】
また、挿通係止部は、複数のディスクを積層係止可能とするために充分な高さの係止部からなり、ディスク間の間隙を確保可能とするために係止部側面に突起状の係止部材を環装した構成である。
【発明の効果】
【００１２】
本発明は、上記詳述した通りの構成であるので、以下のような効果がある。
１．ボトム基部の切り込みに面した両端に、突起状のストッパを設けたため、リッドが過回転することなく、表面がボトム基部端辺に当接して損傷することを防止できる。また、リッド基部のヒンジ端辺を、後壁の立設された断面略Ｌ形状としため、強度の高いディスク保護ケースを提供できる。
２．挿通係止部の近傍に、平面状または曲面状の座面を設けたため、ディスクとボトム間の間隙が確保でき、格納後のディスク表面の損傷を防止できる。
【００１３】
３．リッド中央に挿通係止部を設けたため、複数のディスクを保持可能としたディスク保護ケースを提供できる。
４．挿通係止部を高めに確保したため、複数のディスクを同時に積層係止することを可能としたディスク保護ケースを提供できる。
【発明を実施するための最良の形態】
【００１４】
以下、本発明に係るディスク保護ケースを、図面に示す実施例に基づいて詳細に説明する。図１は、ディスク保護ケースの全体の平面図であり、図２は、ディスク保護ケースのボトムの平面図である。図３は、ディスク保護ケースのリッドの平面図であり、図４は、ディスク保護ケースのボトムの側面図である。図５は、ボトム基部の拡大図であり、図６は、リッド基部の拡大図である。図７は、ディスク保護ケースのリッドの側面図であり、図８は、リッドが閉じた状態のヒンジ部の透視図である。図９は、ヒンジ部の拡大図であり、図１０は、挿通係止部をリッドに装備したディスク保護ケースの平面図である。図１１は、突起状の係止部材を環装した挿通係止部の斜視図である。
【００１５】
本発明のディスク保護ケース１０は、図１に示すように、ディスク６０を収容保持するボトム２０（着座部）と、カード状内装ジャケット７０および／または内装ブック７２を保持する間隔を有するリッド３０（蓋部）とからなる薄形箱体であり、四角の箱体の一側辺が結合され、ボトム２０とリッド３０が相互に軸回転可能となるようにヒンジ４０を介して開閉自在に連結した構造である。
【００１６】
ボトム２０は、図２に示すように、ディスク６０を保持する正方形の平板着座部材であり、四側辺には立ち上がりの側壁が設けられている。中央に略円筒形の挿通係止部５０であるセンター円柱が設けられており、ここにディスク６０が中心の円形空孔を密着嵌合させて係止される構造になっている。挿通係止部５０は、ディスク６０の中心の円形空孔と略同一径か嵌合可能な程度少し大きい径に形成されている。ボトム２０は、ディスク６０を保持し、破損等から直接保護する部材であるため、軽量でかつ強固な素材で構成されることが望ましい。本実施例では、搬送の利便性も考慮し、素材を可視性のプラスチックとして構成している。
【００１７】
リッド３０は、蓋体であり、カード状内装ジャケット７０および／または内装ブック７２を保持する部材でもある。図３に示すように、カード状内装ジャケット７０や内装ブック７２の保持に供される係止片３２がリッド３０の側壁内面に複数設けられている。リッド３０は、ボトム２０と同様に軽量でかつ強固な素材で構成されることが望ましい。本実施例では、開閉の操作性や搬送の利便性を考慮し、素材を可視性のプラスチックとして構成している。
【００１８】
ヒンジ４０は、図４に示すように、ボトム２０の基部２０ａに設けられる連結部材で、ボトム２０の一辺とリッド３０の一辺を開閉自在に連結する。ボトム２０の基部２０ａには、図５に示すように凸状の嵌合凸部４７ａが設けられており、一方、リッド３０の基部３０ａには、図６に示すように、凹状の嵌合凹部４７ｂが設けられている。ボトム２０とリッド３０は、ヒンジ４０の嵌合部４７を介して回転自在に嵌合される。ヒンジ４０の嵌合部４７は、より具体的には、ボトム２０に設けられた嵌合凸部４７ａと、リッド３０の基部３０ａに設けられた嵌合凹部４７ｂとからなり、前記嵌合凸部４７ａが嵌合凹部４７ｂに嵌入することにより、ボトム２０とリッド３０が回転自在に接続される。
【００１９】
また、ヒンジ４０内面には、図５に示すように、切り込み４４が設けられる。切り込み４４は、ボトム２０に開けられた平孔である。これにより、嵌合部４７を中心としたリッド３０の軸回転時にリッド３０の基部３０ａがボトム２０に接触することを防止し、軸回転による開閉を容易に行うと同時に、ボトム２０の損傷を防止することができる。
【００２０】
リッド３０には、リッド３０の基部３０ａのヒンジ側端辺に後壁３４が立設されており、図７に示すように、後壁３４は断面が略Ｌ字形状に形成されている。この形状とすることで、リッド３０の基部３０ａのヒンジ側端辺がボトム２０の基部２０ａのヒンジ側端辺の内面に整列した形で嵌合することが可能となる。
【００２１】
従前のディスク保護ケースでは、リッドを閉じた状態にすると、ボトム基部にリッドとボトムの間の空間ができる構造となっていたため、リッドの開口動作時に指を挟む可能性が考えられ、安全な使用に問題があった。本発明では、図８で示すように、ボトム２０とリッド３０の閉鎖状態でも後壁３４の立ち上がりがあるので切欠き空間が塞がれるため、指を挟む可能性がなくなり使用上の問題は解消されており、安全性に優れたディスク保護ケースを提供することが可能となった。
【００２２】
図９に示すように、ヒンジ４０の内面部分には突起状のストッパ４２が設けられる。ストッパ４２は、ボトム２０およびリッド３０が開口状態のときに、リッド３０の基部３０ａの左端部および右端部と当接する。これにより、リッド３０が過回転することを防止することが可能となり、回転したリッド３０表面がボトム２０の基部２０ａ端辺に完全に当接してリッド３０が損傷することを防止することが可能となった。なお、ストッパ４２がリッド３０に当接する面は、ストッパ４２がリッド３０に当接する時の押圧力が局所的に掛かることを防止する形状とすることが望ましい。本実施例では、図９に示すようにボトム３０の底面と平行となる形状としている。これにより、ストッパ４２がリッド３０に当接する時の押圧力を分散できるため、ストッパ４２によるリッド３０の破損を防止することが可能となる。
【００２３】
挿通係止部５０は、ディスク６０を保持するために設けられた部材であり、図２に示すように、略円筒形のセンター円柱である。挿通係止部５０が、円盤状のディスク６０の中心の円形空孔に嵌合することで、ディスク６０を固定保持する。このため、挿通係止部５０の径は、ディスク６０の中心穴と略同じ径とするか、若しくはセンター円柱の軟度にもよるが少し大きめの径とすることが望ましい。
【００２４】
挿通係止部５０の近傍には、図２に示すように座面５２が設けられる。座面５２は、ディスク６０を保持する略円筒形の挿通係止部５０を構成するセンターホールの基部近傍に設けられる凸状の座面である。この座面５２を設けることにより、ディスク６０とボトム２０に間隙を確保することが可能となり、ディスク６０の記録面がボトム２０と接触して損傷する事を防止することができる。
【００２５】
座面５２は、ディスク６０の記録面とボトム２０が当接しないようにするため、挿通係止部５０近傍に設けるのが望ましい。また、座面５２の形状は、平面状または曲面状とすることが考えられるが、この形状に限定されるものではなく、ディスク保護ケース１０の用途（音楽・映像用ＣＤ、ＤＶＤ、データ記録用ＣＤ−Ｒ、ＤＶＤ−Ｒ等）によって、適宜最適なデザインのものを選択することができる。
【００２６】
ディスク保護ケース１０の他の実施例として、図１０に示すように、リッド３０の中央にディスク６０を保持可能とする略円筒形の挿通係止部５０を設ける構成とすることが可能である。これにより、複数のディスクを同時に保持することが可能となる。これにより、使用性、剛性、生産性の高いディスク保護ケースを提供することが可能となる。
【００２７】
上記実施例では、挿通係止部５０の近傍に、座面５２を設け、ディスク６０の記録面とリッド３０が当接しないように構成するのが望ましい。なお、この実施例の場合、係止片３２を設けてカード状内装ジャケット７０や内装ブック７２を内面に保持することができないため、係止片３２は設けなくてもよい。この場合、カード状内装ジャケット７０は、ディスク保護ケース１０外部に接着固定する実施例が考えられる。
【００２８】
また、挿通係止部５０は、図１１に示すように、複数のディスクを積層係止可能とするために充分な高さを確保したものすることが可能である。ディスクを積層係止可能とした挿通係止部５０ａは、ディスク間の間隙を確保可能とするため、係止部５０ａ側面に突起状の係止部材５４が環装される。これにより、複数のディスク６０を積層係止することが可能となり、積層時にディスク６０同士が接触して損傷する事を防止することができる。
【００２９】
なお、係止部材５４は、本実施例では１本のみ環装しているが、その本数はディスク６０を積層する枚数に応じて増減することが可能である。
【図面の簡単な説明】
【００３０】
【図１】ディスク保護ケースの全体の平面図
【図２】ディスク保護ケースのボトムの平面図
【図３】ディスク保護ケースのリッドの平面図
【図４】ディスク保護ケースのボトムの側面図
【図５】ボトム基部の拡大図
【図６】リッド基部の拡大図
【図７】ディスク保護ケースのリッドの側面図
【図８】リッドが閉じた状態のヒンジ部の透視図
【図９】ヒンジ部の拡大図
【図１０】挿通係止部をリッドに装備したディスク保護ケースの平面図
【図１１】突起状の係止部材を環装した挿通係止部の斜視図
【符号の説明】
【００３１】
１０    ディスク保護ケース
２０    ボトム
２０ａ    ボトム基部
３０    リッド
３０ａ    リッド基部
３２    係止片
３４    後壁
４０    ヒンジ
４２    ストッパ
４４    切り込み
４７    嵌合部
４７ａ    嵌合凸部
４７ｂ    嵌合凹部
５０    挿通係止部
５０ａ  ディスクを積層係止可能とした挿通係止部
５２    座面
５４    係止部材
６０    ディスク
７０    カード状内装ジャケット
７２    内装ブック
【図１】
2013119425.tif 000003
【図２】
2013119425.tif 000004
【図３】
2013119425.tif 000005
【図４】
2013119425.tif 000006
【図５】
2013119425.tif 000007
【図６】
2013119425.tif 000008
【図７】
2013119425.tif 000009
【図８】
2013119425.tif 000010
【図９】
2013119425.tif 000011
【図１０】
2013119425.tif 000012
【図１１】
2013119425.tif 000013